(57)【特許請求の範囲】
【請求項１】
データ通信網上のアクセスサーバに直接収容されたユーザ端末の地理的位置を、当該データ通信網に接続された任意のクライアント端末から特定するための端末位置特定方法であって、
前記アクセスサーバに付与されたアクセスサーバ番号、当該アクセスサーバにおける前記ユーザ端末の収容位置に付与されたサーバ内収容位置番号、及び当該ユーザ端末の地理的位置情報を、存在する複数のユーザ端末ごとに関連付けてなる複数の位置情報レコードとして、前記データ通信網上の任意の領域に設定された通信網運用管理ＤＢに事前に登録しておく一方、
前記アクセスサーバにおいて前記ユーザ端末からの通信要求が検出されるごとに、当該ユーザ端末に付与された通信アドレスを、前記データ通信網を介して前記クライアント端末に通知すると共に、当該通信アドレス、前記アクセスサーバ番号及び前記サーバ内収容位置番号を、存在する前記複数のユーザ端末ごとに関連付けてなる複数のアドレス情報レコードとして、前記データ通信網上の任意の領域に設定されたアドレス情報管理ＤＢに逐次登録していき、
前記クライアント端末から前記アドレス情報管理ＤＢに対し、前記アクセスサーバから通知された前記通信アドレスが、該当する前記ユーザ端末の地理的位置の特定のため前記データ通信網を介して送信されたときに、
当該アドレス情報管理ＤＢに、
前記クライアント端末から受信した前記通信アドレスをキーとして、該当する前記アドレス情報レコード内の前記アクセスサーバ番号及び前記サーバ内収容位置番号を取得させて、当該アクセスサーバ番号及びサーバ内収容位置番号を、前記データ通信網を介して前記通信網運用管理ＤＢに転送させ、
当該通信網運用管理ＤＢに、
前記アドレス情報管理ＤＢから転送された前記アクセスサーバ番号及び前記サーバ内収容位置番号をキーとして、該当する前記位置情報レコード内の前記地理的位置情報を取得させて、当該地理的位置情報を、前記データ通信網を介して前記クライアント端末に返送させる、
ことを特徴とする端末位置特定方法。
【請求項２】
データ通信網上のアクセスサーバに電話網を経由して収容されたユーザ端末の地理的位置を、当該データ通信網に接続された任意のクライアント端末から特定するための端末位置特定方法であって、
前記電話網における前記ユーザ端末の収容位置に付与された端末収容位置番号、及び当該ユーザ端末の地理的位置情報を、存在する複数のユーザ端末ごとに関連付けてなる複数の位置情報レコードとして、前記データ通信網と前記電話網との共有領域に設定された通信網運用管理ＤＢに事前に登録しておく一方、
前記アクセスサーバにおいて前記ユーザ端末からの通信要求が検出されるごとに、当該ユーザ端末に付与された通信アドレスを、前記データ通信網を介して前記クライアント端末に通知すると共に、当該通信アドレス、前記アクセスサーバに付与されたアクセスサーバ番号、及び当該アクセスサーバにおける前記電話網の収容位置に付与されたサーバ内収容位置番号を、存在する前記複数のユーザ端末ごとに関連付けてなる複数のアドレス情報レコードとして、前記データ通信網上の任意の領域に設定されたアドレス情報管理ＤＢに逐次登録していき、
前記クライアント端末から前記アドレス情報管理ＤＢに対し、前記アクセスサーバから通知された前記通信アドレスが、該当する前記ユーザ端末の地理的位置の特定のため前記データ通信網を介して送信されたときに、
当該アドレス情報管理ＤＢに、
前記クライアント端末から受信した前記通信アドレスをキーとして、該当する前記アドレス情報レコード内の前記アクセスサーバ番号及び前記サーバ内収容位置番号を取得させて、当該アクセスサーバ番号及びサーバ内収容位置番号を、前記データ通信網を介して前記通信網運用管理ＤＢに転送させ、
当該通信網運用管理ＤＢに、
前記アドレス情報管理ＤＢから転送された前記アクセスサーバ番号及び前記サーバ内収容位置番号に基づき、前記電話網から、その接続ルートトレース機能を用いて前記端末収容位置番号を取得させると共に、当該端末収容位置番号をキーとして、該当する前記位置情報レコード内の前記地理的位置情報を取得させて、当該地理的位置情報を、前記データ通信網を介して前記クライアント端末に返送させる、
ことを特徴とする端末位置特定方法。
【請求項３】
前記通信網運用管理ＤＢは、
前記端末収容位置番号に代えて、前記ユーザ端末に付与された端末電話番号を登録し、
前記電話網から、その接続ルートトレース機能を用いて前記端末電話番号を取得すると共に、当該端末電話番号をキーとして、該当する前記位置情報レコード内の前記地理的位置情報を取得する、
ことを特徴とする請求項２に記載の端末位置特定方法。
【請求項４】
データ通信網上のアクセスサーバに電話網及び移動体基地局を経由して収容されたユーザ端末の地理的位置を、当該データ通信網に接続された任意のクライアント端末から概略的に特定するための端末位置特定方法であって、前記電話網における前記移動体基地局の収容位置に付与された基地局収容位置番号、及び当該移動体基地局の地理的位置情報を、存在する複数のユーザ端末ごとに関連付けてなる複数の位置情報レコードとして、前記データ通信網と前記電話網との共有領域に設定された通信網運用管理ＤＢに事前に登録しておく一方、前記アクセスサーバにおいて前記ユーザ端末からの通信要求が検出されるごとに、当該ユーザ端末に付与された通信アドレスを、前記データ通信網を介して前記クライアント端末に通知すると共に、当該通信アドレス、前記アクセスサーバに付与されたアクセスサーバ番号、及び当該アクセスサーバにおける前記電話網の収容位置に付与されたサーバ内収容位置番号を、存在する前記複数のユーザ端末ごとに関連付けてなる複数のアドレス情報レコードとして、前記データ通信網上の任意の領域に設定されたアドレス情報管理ＤＢに逐次登録していき、
前記クライアント端末から前記アドレス情報管理ＤＢに対し、前記アクセスサーバから通知された前記通信アドレスが、該当する前記ユーザ端末の地理的位置の特定のため前記データ通信網を介して送信されたときに、
当該アドレス情報管理ＤＢに、
前記クライアント端末から受信した前記通信アドレスをキーとして、該当する前記アドレス情報レコード内の前記アクセスサーバ番号及び前記サーバ内収容位置番号を取得させて、当該アクセスサーバ番号及びサーバ内収容位置番号を、前記データ通信網を介して前記通信網運用管理ＤＢに転送させ、
当該通信網運用管理ＤＢに、
前記アドレス情報管理ＤＢから転送された前記アクセスサーバ番号及び前記サーバ内収容位置番号に基づき、前記電話網から、その接続ルートトレース機能を用いて前記基地局収容位置番号を取得させると共に、当該基地局収容位置番号をキーとして、該当する前記位置情報レコード内の前記地理的位置情報を取得させて、当該地理的位置情報を、前記データ通信網を介して前記クライアント端末に返送させる、
ことを特徴とする端末位置特定方法。
【請求項５】
前記通信網運用管理ＤＢは、
前記基地局収容位置番号に代えて、前記移動体基地局に付与された基地局電話番号を登録し、
前記電話網から、その接続ルートトレース機能を用いて前記基地局電話番号を取得すると共に、当該基地局電話番号をキーとして、該当する前記位置情報レコード内の前記地理的位置情報を取得する、
ことを特徴とする請求項４に記載の端末位置特定方法。
【請求項６】
前記アドレス情報管理ＤＢは、
既に前記アドレス情報レコードとして登録されている前記通信アドレスに関して、該当する前記ユーザ端末からの通信要求が再び発生した場合、
当該通信アドレスに関連付けられた前記アクセスサーバ番号及び前記サーバ内収容位置番号を、該当する前記アドレス情報レコードから削除する、
ことを特徴とする請求項１、２、３、４又は５に記載の端末位置特定方法。
【請求項７】
データ通信網上のアクセスサーバに直接収容されたユーザ端末の地理的位置を、当該データ通信網に接続された任意のクライアント端末から特定するための端末位置特定システム装置であって、
前記データ通信網上の任意の領域に設定され、前記アクセスサーバに付与されたアクセスサーバ番号、当該アクセスサーバにおける前記ユーザ端末の収容位置に付与されたサーバ内収容位置番号、及び当該ユーザ端末の地理的位置情報を、存在する複数のユーザ端末ごとに関連付けてなる複数の位置情報レコードとして登録するための通信網運用管理ＤＢと、
前記データ通信網上の任意の領域に設定され、前記アクセスサーバにおいて前記ユーザ端末からの通信要求が検出されるごとに、当該ユーザ端末に付与された通信アドレス、前記アクセスサーバ番号及び前記サーバ内収容位置番号を、存在する前記複数のユーザ端末ごとに関連付けてなる複数のアドレス情報レコードとして登録するためのアドレス情報管理ＤＢと、を有し、
前記アクセスサーバは、
前記ユーザ端末から前記通信要求が検出されるごとに、当該ユーザ端末に付与された前記通信アドレスを、前記データ通信網を介して前記クライアント端末に通知する機能手段を具備し、
前記アドレス情報管理ＤＢは、
前記アクセスサーバから前記クライアント端末に通知される前記通信アドレスが、該当する前記ユーザ端末の地理的位置の特定のため前記クライアント端末から前記データ通信網を介して送信されたときに、当該通信アドレスをキーとして、該当する前記アドレス情報レコード内の前記アクセスサーバ番号及び前記サーバ内収容位置番号を取得して、当該アクセスサーバ番号及びサーバ内収容位置番号を、前記データ通信網を介して前記通信網運用管理ＤＢに転送する機能手段を具備し、
当該通信網運用管理ＤＢは、
前記アドレス情報管理ＤＢから転送される前記アクセスサーバ番号及び前記サーバ内収容位置番号をキーとして、該当する前記位置情報レコード内の前記地理的位置情報を取得して、当該地理的位置情報を、前記データ通信網を介して前記クライアント端末に返送する機能手段を具備する、
ことを特徴とする端末位置特定システム装置。
【請求項８】
データ通信網上のアクセスサーバに電話網を経由して収容されたユーザ端末の地理的位置を、当該データ通信網に接続された任意のクライアント端末から特定するための端末位置特定システム装置であって、
前記データ通信網と前記電話網との共有領域に設定され、前記電話網における前記ユーザ端末の収容位置に付与された端末収容位置番号、及び当該ユーザ端末の地理的位置情報を、存在する複数のユーザ端末ごとに関連付けてなる複数の位置情報レコードとして登録するための通信網運用管理ＤＢと、
前記データ通信網上の任意の領域に設定され、前記アクセスサーバにおいて前記ユーザ端末からの通信要求が検出されるごとに、当該ユーザ端末に付与された通信アドレス、前記アクセスサーバに付与されたアクセスサーバ番号、及び当該アクセスサーバにおける前記電話網の収容位置に付与されたサーバ内収容位置番号を、存在する前記複数のユーザ端末ごとに関連付けてなる複数のアドレス情報レコードとして登録するためのアドレス情報管理ＤＢと、を有し、
前記アクセスサーバは、
前記ユーザ端末から前記通信要求が検出されるごとに、当該ユーザ端末に付与された前記通信アドレスを、前記データ通信網を介して前記クライアント端末に通知する機能手段を具備し、
前記アドレス情報管理ＤＢは、
前記アクセスサーバから前記クライアント端末に通知される前記通信アドレスが、該当する前記ユーザ端末の地理的位置の特定のため前記クライアント端末から前記データ通信網を介して送信されたときに、当該通信アドレスをキーとして、該当する前記アドレス情報レコード内の前記アクセスサーバ番号及び前記サーバ内収容位置番号を取得して、当該アクセスサーバ番号及びサーバ内収容位置番号を、前記データ通信網を介して前記通信網運用管理ＤＢに転送する機能手段を具備し、
前記通信網運用管理ＤＢは、
前記アドレス情報管理ＤＢから転送される前記アクセスサーバ番号及び前記サーバ内収容位置番号に基づき、前記電話網から、その接続ルートトレース機能を用いて前記端末収容位置番号を取得すると共に、当該端末収容位置番号をキーとして、該当する前記位置情報レコード内の前記地理的位置情報を取得して、当該地理的位置情報を、前記データ通信網を介して前記クライアント端末に返送する機能手段を具備する、
ことを特徴とする記載の端末位置特定システム装置。
【請求項９】
前記通信網運用管理ＤＢは、
前記端末収容位置番号に代えて、前記ユーザ端末に付与された端末電話番号を登録するため設定されたものであり、
前記電話網から、その接続ルートトレース機能を用いて前記端末電話番号を取得すると共に、当該端末電話番号をキーとして、該当する前記位置情報レコード内の前記地理的位置情報を取得する機能手段を具備する、
ことを特徴とする請求項８に記載の端末位置特定システム装置。
【請求項１０】
データ通信網上のアクセスサーバに電話網及び移動体基地局を経由して収容されたユーザ端末の地理的位置を、当該データ通信網に接続された任意のクライアント端末から概略的に特定するための端末位置特定システム装置であって、
前記データ通信網と前記電話網との共有領域に設定され、前記電話網における前記移動体基地局の収容位置に付与された基地局収容位置番号、及び当該移動体基地局の地理的位置情報を、存在する複数のユーザ端末ごとに関連付けてなる複数の位置情報レコードとして登録するための通信網運用管理ＤＢと、
前記データ通信網上の任意の領域に設定され、前記アクセスサーバにおいて前記ユーザ端末からの通信要求が検出されるごとに、当該ユーザ端末に付与された通信アドレス、前記アクセスサーバに付与されたアクセスサーバ番号、及び当該アクセスサーバにおける前記電話網の収容位置に付与されたサーバ内収容位置番号を、存在する前記複数のユーザ端末ごとに関連付けてなる複数のアドレス情報レコードとして登録するためのアドレス情報管理ＤＢと、を有し、
前記アクセスサーバは、
前記ユーザ端末から前記通信要求が検出されるごとに、当該ユーザ端末に付与された前記通信アドレスを、前記データ通信網を介して前記クライアント端末に通知する機能手段を具備し、
前記アドレス情報管理ＤＢは、
前記アクセスサーバから前記クライアント端末に通知される前記通信アドレスが、該当する前記ユーザ端末の地理的位置の特定のため前記クライアント端末から前記データ通信網を介して送信されたときに、当該通信アドレスをキーとして、該当する前記アドレス情報レコード内の前記アクセスサーバ番号及び前記サーバ内収容位置番号を取得して、当該アクセスサーバ番号及びサーバ内収容位置番号を、前記データ通信網を介して前記通信網運用管理ＤＢに転送する機能手段を具備し、
前記通信網運用管理ＤＢは、
前記アドレス情報管理ＤＢから転送される前記アクセスサーバ番号及び前記サーバ内収容位置番号に基づき、前記電話網から、その接続ルートトレース機能を用いて前記基地局収容位置番号を取得すると共に、当該基地局収容位置番号をキーとして、該当する前記位置情報レコード内の前記地理的位置情報を取得して、当該地理的位置情報を、前記データ通信網を介して前記クライアント端末に返送する機能手段を具備する、
ことを特徴とする端末位置特定システム装置。
【請求項１１】
前記通信網運用管理ＤＢは、
前記基地局収容位置番号に代えて、前記移動体基地局に付与された基地局電話番号を登録するため設定されたものであり、
前記電話網から、その接続ルートトレース機能を用いて前記基地局電話番号を取得すると共に、当該基地局電話番号をキーとして、該当する前記位置情報レコード内の前記地理的位置情報を取得する機能手段を具備する、
ことを特徴とする請求項１０に記載の端末位置特定システム装置。
【請求項１２】
前記アドレス情報管理ＤＢは、
既に前記アドレス情報レコードとして登録されている前記通信アドレスに関して、該当する前記ユーザ端末からの通信要求が再び発生した場合に、当該通信アドレスに関連付けられた前記アクセスサーバ番号及び前記サーバ内収容位置番号を、該当する前記アドレス情報レコードから削除する機能手段を具備する、
ことを特徴とする請求項７、８、９、１０又は１１に記載の端末位置特定システム装置。
【請求項１３】
前記複数の位置情報レコード及び前記複数のアドレス情報レコードは、それぞれ、
前記通信網運用管理ＤＢ内及び前記アドレス情報管理ＤＢ内にテーブル化されて構成される、
ことを特徴とする請求項７、８、９、１０、１１又は１２に記載の端末位置特定システム装置。
【発明の詳細な説明】
【０００１】
【発明の属する技術分野】
本発明は、端末位置特定方法及びシステム装置に関し、詳しくは、データ通信網上のアクセスサーバに直接又は電話網等を経由して収容されたユーザ端末の地理的位置を、当該データ通信網に接続された任意のクライアント端末から特定するための端末位置特定方法、及びその実施に直接使用する端末位置特定システム装置に係わる。
【０００２】
【従来の技術】
従来、電話網に接続されたコンピュータなどのユーザ端末の地理的位置を特定しようとする場合、そのユーザ端末に、本来的に地理的位置情報を含んだ電話番号が付与され、しかも、ユーザ端末の位置は固定的なものであるため、所要の地理的位置の特定は、その電話番号や交換機におけるユーザ端末の収容位置などの情報に基づいて容易に行うことができた。
【０００３】
また、携帯電話に代表される移動体網の場合、ユーザ端末（移動端末）との間で回線が設定された移動体基地局の地理的位置から、そのユーザ端末の概略的な地理的位置を特定することができた。
【０００４】
【発明が解決しようとする課題】
これに対し、インターネットなどのデータ通信網にあっては、全世界的な規模では、上位ビットを共有する通信アドレスのブロックが、アクセスサーバやホストコンピュータとその傘下の端末群とにランダムに割り当てられ、たとえ、そのブロックごとの地理的位置が既知であるとしても、１つの割り当てがカバーする地域は都道府県よりも広域の場合があるため、一般に、データ通信網上のユーザ端末の地理的位置を、上述した電話網や移動体網と同じ程度の詳しさで特定することはできなかった。
【０００５】
ここにおいて、本発明の解決すべき主要な目的は、次のとおりである。
【０００６】
即ち、本発明の第１の目的は、データ通信網に直接収容されたユーザ端末の地理的位置を詳細に特定することの可能な端末位置特定方法及びシステム装置を提供せんとするものである。
【０００７】
本発明の第２の目的は、データ通信網に電話網を経由して収容されたユーザ端末の地理的位置を詳細に特定することの可能な端末位置特定方法及びシステム装置を提供せんとするものである。
【０００８】
本発明の第３の目的は、データ通信網に電話網及び移動体基地局を経由して収容されたユーザ端末の地理的位置を詳細に特定することの可能な端末位置特定方法及びシステム装置を提供せんとするものである。
【０００９】
本発明の他の目的は、明細書、図面、特に特許請求の範囲の各請求項の記載から自ずと明らかとなろう。
【００１０】
【課題を解決するための手段】
本発明方法においては、上記課題を解決するため、データ通信網上のアクセスサーバにて取得されたユーザ端末の通信アドレスが、クライアント端末を通じて指定されたときに、データ通信網上のアドレス情報管理データベース（以下、「データベース」を「ＤＢ」と略記する）に、その指定された通信アドレスをキーとして、対応するアクセスサーバ番号及びサーバ内収容位置番号を取得させ、さらに、データ通信網上の通信網運用管理ＤＢに、その取得されたアクセスサーバ番号及びサーバ内収容位置番号をキーとして、対応する地理的位置情報を取得させる、という特徴的構成手法を講じる。
【００１１】
一方、本発明システム装置においては、同課題の解決のため、ユーザ端末の通信アドレスを取得して、これをデータ通信網を介してクライアント端末に通知することの可能なアクセスサーバと、その通信アドレスが、該当するユーザ端末の地理的位置の特定のためクライアント端末からデータ通信網を介して送信されたときに、当該通信アドレスをキーに、対応するアクセスサーバ番号及びサーバ内収容位置番号を取得することの可能なアドレス情報管理ＤＢと、それら取得されたアクセスサーバ番号及びサーバ内収容位置番号をキーに、対応する地理的位置情報を取得することの可能な通信網運用管理ＤＢとを具備させる、という特徴的構成手段を講じる。
【００１２】
さらに、具体的詳細に述べると、当該課題の解決では、本発明が次に列挙する新規な特徴的構成手法及び手段を採用することにより、前記目的を達成するよう為される。
【００１３】
即ち、本発明方法の第１の特徴は、データ通信網上のアクセスサーバに直接収容されたユーザ端末の地理的位置を、当該データ通信網に接続された任意のクライアント端末から特定するための端末位置特定方法であって、前記アクセスサーバに付与されたアクセスサーバ番号、当該アクセスサーバにおける前記ユーザ端末の収容位置に付与されたサーバ内収容位置番号、及び当該ユーザ端末の地理的位置情報を、存在する複数のユーザ端末ごとに関連付けてなる複数の位置情報レコードとして、前記データ通信網上の任意の領域に設定された通信網運用管理ＤＢに事前に登録しておく一方、前記アクセスサーバにおいて前記ユーザ端末からの通信要求が検出されるごとに、当該ユーザ端末に付与された通信アドレスを、前記データ通信網を介して前記クライアント端末に通知すると共に、当該通信アドレス、前記アクセスサーバ番号及び前記サーバ内収容位置番号を、存在する前記複数のユーザ端末ごとに関連付けてなる複数のアドレス情報レコードとして、前記データ通信網上の任意の領域に設定されたアドレス情報管理ＤＢに逐次登録していき、前記クライアント端末から前記アドレス情報管理ＤＢに対し、前記アクセスサーバから通知された前記通信アドレスが、該当する前記ユーザ端末の地理的位置の特定のため前記データ通信網を介して送信されたときに、当該アドレス情報管理ＤＢに、前記クライアント端末から受信した前記通信アドレスをキーとして、該当する前記アドレス情報レコード内の前記アクセスサーバ番号及び前記サーバ内収容位置番号を取得させて、当該アクセスサーバ番号及びサーバ内収容位置番号を、前記データ通信網を介して前記通信網運用管理ＤＢに転送させ、当該通信網運用管理ＤＢに、前記アドレス情報管理ＤＢから転送された前記アクセスサーバ番号及び前記サーバ内収容位置番号をキーとして、該当する前記位置情報レコード内の前記地理的位置情報を取得させて、当該地理的位置情報を、前記データ通信網を介して前記クライアント端末に返送させてなる、端末位置特定方法の構成採用にある。
【００１４】
本発明方法の第２の特徴は、データ通信網上のアクセスサーバに電話網を経由して収容されたユーザ端末の地理的位置を、当該データ通信網に接続された任意のクライアント端末から特定するための端末位置特定方法であって、前記電話網における前記ユーザ端末の収容位置に付与された端末収容位置番号、及び当該ユーザ端末の地理的位置情報を、存在する複数のユーザ端末ごとに関連付けてなる複数の位置情報レコードとして、前記データ通信網と前記電話網との共有領域に設定された通信網運用管理ＤＢに事前に登録しておく一方、前記アクセスサーバにおいて前記ユーザ端末からの通信要求が検出されるごとに、当該ユーザ端末に付与された通信アドレスを、前記データ通信網を介して前記クライアント端末に通知すると共に、当該通信アドレス、前記アクセスサーバに付与されたアクセスサーバ番号、及び当該アクセスサーバにおける前記電話網の収容位置に付与されたサーバ内収容位置番号を、存在する前記複数のユーザ端末ごとに関連付けてなる複数のアドレス情報レコードとして、前記データ通信網上の任意の領域に設定されたアドレス情報管理ＤＢに逐次登録していき、前記クライアント端末から前記アドレス情報管理ＤＢに対し、前記アクセスサーバから通知された前記通信アドレスが、該当する前記ユーザ端末の地理的位置の特定のため前記データ通信網を介して送信されたときに、当該アドレス情報管理ＤＢに、前記クライアント端末から受信した前記通信アドレスをキーとして、該当する前記アドレス情報レコード内の前記アクセスサーバ番号及び前記サーバ内収容位置番号を取得させて、当該アクセスサーバ番号及びサーバ内収容位置番号を、前記データ通信網を介して前記通信網運用管理ＤＢに転送させ、当該通信網運用管理ＤＢに、前記アドレス情報管理ＤＢから転送された前記アクセスサーバ番号及び前記サーバ内収容位置番号に基づき、前記電話網から、その接続ルートトレース機能を用いて前記端末収容位置番号を取得させると共に、当該端末収容位置番号をキーとして、該当する前記位置情報レコード内の前記地理的位置情報を取得させて、当該地理的位置情報を、前記データ通信網を介して前記クライアント端末に返送させてなる、端末位置特定方法の構成採用にある。
【００１５】
本発明方法の第３の特徴は、上記本発明方法の第２の特徴における前記通信網運用管理ＤＢが、前記端末収容位置番号に代えて、前記ユーザ端末に付与された端末電話番号を登録し、前記電話網から、その接続ルートトレース機能を用いて前記端末電話番号を取得すると共に、当該端末電話番号をキーとして、該当する前記位置情報レコード内の前記地理的位置情報を取得してなる、端末位置特定方法の構成採用にある。
【００１６】
本発明方法の第４の特徴は、データ通信網上のアクセスサーバに電話網及び移動体基地局を経由して収容されたユーザ端末の地理的位置を、当該データ通信網に接続された任意のクライアント端末から概略的に特定するための端末位置特定方法であって、前記電話網における前記移動体基地局の収容位置に付与された基地局収容位置番号、及び当該移動体基地局の地理的位置情報を、存在する複数のユーザ端末ごとに関連付けてなる複数の位置情報レコードとして、前記データ通信網と前記電話網との共有領域に設定された通信網運用管理ＤＢに事前に登録しておく一方、前記アクセスサーバにおいて前記ユーザ端末からの通信要求が検出されるごとに、当該ユーザ端末に付与された通信アドレスを、前記データ通信網を介して前記クライアント端末に通知すると共に、当該通信アドレス、前記アクセスサーバに付与されたアクセスサーバ番号、及び当該アクセスサーバにおける前記電話網の収容位置に付与されたサーバ内収容位置番号を、存在する前記複数のユーザ端末ごとに関連付けてなる複数のアドレス情報レコードとして、前記データ通信網上の任意の領域に設定されたアドレス情報管理ＤＢに逐次登録していき、前記クライアント端末から前記アドレス情報管理ＤＢに対し、前記アクセスサーバから通知された前記通信アドレスが、該当する前記ユーザ端末の地理的位置の特定のため前記データ通信網を介して送信されたときに、当該アドレス情報管理ＤＢに、前記クライアント端末から受信した前記通信アドレスをキーとして、該当する前記アドレス情報レコード内の前記アクセスサーバ番号及び前記サーバ内収容位置番号を取得させて、当該アクセスサーバ番号及びサーバ内収容位置番号を、前記データ通信網を介して前記通信網運用管理ＤＢに転送させ、当該通信網運用管理ＤＢに、前記アドレス情報管理ＤＢから転送された前記アクセスサーバ番号及び前記サーバ内収容位置番号に基づき、前記電話網から、その接続ルートトレース機能を用いて前記基地局収容位置番号を取得させると共に、当該基地局収容位置番号をキーとして、該当する前記位置情報レコード内の前記地理的位置情報を取得させて、当該地理的位置情報を、前記データ通信網を介して前記クライアント端末に返送させてなる、端末位置特定方法の構成採用にある。
【００１７】
本発明方法の第５の特徴は、上記本発明方法の第４の特徴における前記通信網運用管理ＤＢが、前記基地局収容位置番号に代えて、前記移動体基地局に付与された基地局電話番号を登録し、前記電話網から、その接続ルートトレース機能を用いて前記基地局電話番号を取得すると共に、当該基地局電話番号をキーとして、該当する前記位置情報レコード内の前記地理的位置情報を取得してなる、端末位置特定方法の構成採用にある。
【００１８】
本発明方法の第６の特徴は、上記本発明方法の第１、第２、第３、第４又は第５の特徴における前記アドレス情報管理ＤＢが、既に前記アドレス情報レコードとして登録されている前記通信アドレスに関して、該当する前記ユーザ端末からの通信要求が再び発生した場合、当該通信アドレスに関連付けられた前記アクセスサーバ番号及び前記サーバ内収容位置番号を、該当する前記アドレス情報レコードから削除してなる、端末位置特定方法の構成採用にある。
【００１９】
一方、本発明システム装置の第１の特徴は、データ通信網上のアクセスサーバに直接収容されたユーザ端末の地理的位置を、当該データ通信網に接続された任意のクライアント端末から特定するための端末位置特定システム装置であって、前記データ通信網上の任意の領域に設定され、前記アクセスサーバに付与されたアクセスサーバ番号、当該アクセスサーバにおける前記ユーザ端末の収容位置に付与されたサーバ内収容位置番号、及び当該ユーザ端末の地理的位置情報を、存在する複数のユーザ端末ごとに関連付けてなる複数の位置情報レコードとして登録するための通信網運用管理ＤＢと、前記データ通信網上の任意の領域に設定され、前記アクセスサーバにおいて前記ユーザ端末からの通信要求が検出されるごとに、当該ユーザ端末に付与された通信アドレス、前記アクセスサーバ番号及び前記サーバ内収容位置番号を、存在する前記複数のユーザ端末ごとに関連付けてなる複数のアドレス情報レコードとして登録するためのアドレス情報管理ＤＢとを有し、前記アクセスサーバが、前記ユーザ端末から前記通信要求が検出されるごとに、当該ユーザ端末に付与された前記通信アドレスを、前記データ通信網を介して前記クライアント端末に通知する機能手段を具備し、前記アドレス情報管理ＤＢが、前記アクセスサーバから前記クライアント端末に通知される前記通信アドレスが、該当する前記ユーザ端末の地理的位置の特定のため前記クライアント端末から前記データ通信網を介して送信されたときに、当該通信アドレスをキーとして、該当する前記アドレス情報レコード内の前記アクセスサーバ番号及び前記サーバ内収容位置番号を取得して、当該アクセスサーバ番号及びサーバ内収容位置番号を、前記データ通信網を介して前記通信網運用管理ＤＢに転送する機能手段を具備し、当該通信網運用管理ＤＢが、前記アドレス情報管理ＤＢから転送される前記アクセスサーバ番号及び前記サーバ内収容位置番号をキーとして、該当する前記位置情報レコード内の前記地理的位置情報を取得して、当該地理的位置情報を、前記データ通信網を介して前記クライアント端末に返送する機能手段を具備してなる、端末位置特定システム装置の構成採用にある。
【００２０】
本発明システム装置の第２の特徴は、データ通信網上のアクセスサーバに電話網を経由して収容されたユーザ端末の地理的位置を、当該データ通信網に接続された任意のクライアント端末から特定するための端末位置特定システム装置であって、前記データ通信網と前記電話網との共有領域に設定され、前記電話網における前記ユーザ端末の収容位置に付与された端末収容位置番号、及び当該ユーザ端末の地理的位置情報を、存在する複数のユーザ端末ごとに関連付けてなる複数の位置情報レコードとして登録するための通信網運用管理ＤＢと、前記データ通信網上の任意の領域に設定され、前記アクセスサーバにおいて前記ユーザ端末からの通信要求が検出されるごとに、当該ユーザ端末に付与された通信アドレス、前記アクセスサーバに付与されたアクセスサーバ番号、及び当該アクセスサーバにおける前記電話網の収容位置に付与されたサーバ内収容位置番号を、存在する前記複数のユーザ端末ごとに関連付けてなる複数のアドレス情報レコードとして登録するためのアドレス情報管理ＤＢとを有し、前記アクセスサーバが、前記ユーザ端末から前記通信要求が検出されるごとに、当該ユーザ端末に付与された前記通信アドレスを、前記データ通信網を介して前記クライアント端末に通知する機能手段を具備し、前記アドレス情報管理ＤＢが、前記アクセスサーバから前記クライアント端末に通知される前記通信アドレスが、該当する前記ユーザ端末の地理的位置の特定のため前記クライアント端末から前記データ通信網を介して送信されたときに、当該通信アドレスをキーとして、該当する前記アドレス情報レコード内の前記アクセスサーバ番号及び前記サーバ内収容位置番号を取得して、当該アクセスサーバ番号及びサーバ内収容位置番号を、前記データ通信網を介して前記通信網運用管理ＤＢに転送する機能手段を具備し、前記通信網運用管理ＤＢが、前記アドレス情報管理ＤＢから転送される前記アクセスサーバ番号及び前記サーバ内収容位置番号に基づき、前記電話網から、その接続ルートトレース機能を用いて前記端末収容位置番号を取得すると共に、当該端末収容位置番号をキーとして、該当する前記位置情報レコード内の前記地理的位置情報を取得して、当該地理的位置情報を、前記データ通信網を介して前記クライアント端末に返送する機能手段を具備してなる、端末位置特定システム装置の構成採用にある。
【００２１】
本発明システム装置の第３の特徴は、上記本発明システム装置の第２の特徴における前記通信網運用管理ＤＢが、前記端末収容位置番号に代えて、前記ユーザ端末に付与された端末電話番号を登録するため設定されたものであり、前記電話網から、その接続ルートトレース機能を用いて前記端末電話番号を取得すると共に、当該端末電話番号をキーとして、該当する前記位置情報レコード内の前記地理的位置情報を取得する機能手段を具備してなる、端末位置特定システム装置の構成採用にある。
【００２２】
本発明システム装置の第４の特徴は、データ通信網上のアクセスサーバに電話網及び移動体基地局を経由して収容されたユーザ端末の地理的位置を、当該データ通信網に接続された任意のクライアント端末から概略的に特定するための端末位置特定システム装置であって、前記データ通信網と前記電話網との共有領域に設定され、前記電話網における前記移動体基地局の収容位置に付与された基地局収容位置番号、及び当該移動体基地局の地理的位置情報を、存在する複数のユーザ端末ごとに関連付けてなる複数の位置情報レコードとして登録するための通信網運用管理ＤＢと、前記データ通信網上の任意の領域に設定され、前記アクセスサーバにおいて前記ユーザ端末からの通信要求が検出されるごとに、当該ユーザ端末に付与された通信アドレス、前記アクセスサーバに付与されたアクセスサーバ番号、及び当該アクセスサーバにおける前記電話網の収容位置に付与されたサーバ内収容位置番号を、存在する前記複数のユーザ端末ごとに関連付けてなる複数のアドレス情報レコードとして登録するためのアドレス情報管理ＤＢとを有し、前記アクセスサーバが、前記ユーザ端末から前記通信要求が検出されるごとに、当該ユーザ端末に付与された前記通信アドレスを、前記データ通信網を介して前記クライアント端末に通知する機能手段を具備し、前記アドレス情報管理ＤＢが、前記アクセスサーバから前記クライアント端末に通知される前記通信アドレスが、該当する前記ユーザ端末の地理的位置の特定のため前記クライアント端末から前記データ通信網を介して送信されたときに、当該通信アドレスをキーとして、該当する前記アドレス情報レコード内の前記アクセスサーバ番号及び前記サーバ内収容位置番号を取得して、当該アクセスサーバ番号及びサーバ内収容位置番号を、前記データ通信網を介して前記通信網運用管理ＤＢに転送する機能手段を具備し、前記通信網運用管理ＤＢが、前記アドレス情報管理ＤＢから転送される前記アクセスサーバ番号及び前記サーバ内収容位置番号に基づき、前記電話網から、その接続ルートトレース機能を用いて前記基地局収容位置番号を取得すると共に、当該基地局収容位置番号をキーとして、該当する前記位置情報レコード内の前記地理的位置情報を取得して、当該地理的位置情報を、前記データ通信網を介して前記クライアント端末に返送する機能手段を具備してなる、端末位置特定システム装置の構成採用にある。
【００２３】
本発明システム装置の第５の特徴は、上記本発明システム装置の第４の特徴における前記通信網運用管理ＤＢが、前記基地局収容位置番号に代えて、前記移動体基地局に付与された基地局電話番号を登録するため設定されたものであり、前記電話網から、その接続ルートトレース機能を用いて前記基地局電話番号を取得すると共に、当該基地局電話番号をキーとして、該当する前記位置情報レコード内の前記地理的位置情報を取得する機能手段を具備してなる、端末位置特定システム装置の構成採用にある。
【００２４】
本発明システム装置の第６の特徴は、上記本発明システム装置の第１、第２、第３、第４又は第５の特徴における前記アドレス情報管理ＤＢが、既に前記アドレス情報レコードとして登録されている前記通信アドレスに関して、該当する前記ユーザ端末からの通信要求が再び発生した場合に、当該通信アドレスに関連付けられた前記アクセスサーバ番号及び前記サーバ内収容位置番号を、該当する前記アドレス情報レコードから削除する機能手段を具備してなる、端末位置特定システム装置の構成採用にある。
【００２５】
本発明システム装置の第７の特徴は、上記本発明システム装置の第１、第２、第３、第４、第５又は第６の特徴における前記複数の位置情報レコード及び前記複数のアドレス情報レコードが、それぞれ、前記通信網運用管理ＤＢ内及び前記アドレス情報管理ＤＢ内にテーブル化されて構成されてなる、端末位置特定システム装置の構成採用にある。
【００２６】
【発明の実施の形態】
以下、本発明の実施の形態につき、添付図面を参照しつつ、第１及び第２装置例並びにこれら各装置例にそれぞれ対応する第１及び第２方法例を挙げて詳細に説明する。
【００２７】
（第１装置例）
初めに、本発明の第１装置例に係る端末位置特定システム装置を説明する。
【００２８】
図１は、本発明の第１装置例に係る端末位置特定システム装置のシステム構成図であり、図２（ａ）及び（ｂ）は、図１に示す通信網運用管理ＤＢ内及びアドレス情報管理ＤＢ内にそれぞれ設定される直接収容者用地理的位置テーブル及びアドレス情報管理テーブルの構成図である。
【００２９】
同図に示すように、この第１装置例に係る端末位置特定システム装置αは、データ通信網１上の端末収容アクセスサーバ２に、直接収容回線３を介して直接収容された直接収容ユーザ端末４の地理的位置を、当該データ通信網１に接続された任意のクライアント端末５から特定するために、そのデータ通信網１上の任意の領域に、通信網運用管理ＤＢ６と、アドレス情報管理ＤＢ７とをそれぞれ設定して構成される。
【００３０】
ここで、通信網運用管理ＤＢ６は、端末収容アクセスサーバ２に付与されたアクセスサーバ番号（＃ｋ１）、当該端末収容アクセスサーバ２における直接収容ユーザ端末４の収容位置２ａに付与されたサーバ内収容位置番号（＃ｉ１）、及び当該直接収容ユーザ端末４の地理的位置情報（Ａ市Ｂ町Ｃ番地）を、存在する複数の直接収容ユーザ端末ごとに関連付けてなる複数の位置情報レコードとして登録するためのものであり、これら複数の位置情報レコードを以って、当該通信網運用管理ＤＢ６内に、図示の直接収容者用地理的位置テーブル６ａが構成される。
【００３１】
また、アドレス情報管理ＤＢ７は、端末収容アクセスサーバ２において直接収容ユーザ端末４からの通信要求が検出されるごとに、当該直接収容ユーザ端末４に付与された通信アドレス（＃ｊ１）、上記アクセスサーバ番号（＃ｋ１）、上記サーバ内収容位置番号（＃ｉ１）、及び直接収容ユーザ端末４の収容回線に関する回線種別情報（［直接収容］）を、存在する複数の直接収容ユーザ端末ごとに関連付けてなる複数のアドレス情報レコードとして登録するためのものであり、これら複数のアドレス情報レコードを以って、当該アドレス情報管理ＤＢ７内に、図示のアドレス情報管理テーブル７ａが構成される（図示の回線種別情報（［電話網］）に関する詳細は、第２装置例及び第２方法例において述べる）。
【００３２】
なお、端末収容アクセスサーバ２は、直接収容ユーザ端末４から通信要求が検出されるごとに、当該直接収容ユーザ端末４に付与された通信アドレスを、データ通信網１を介してクライアント端末５に通知する機能を具備し、クライアント端末５は、直接収容ユーザ端末４に付与された通信アドレスを、該当する直接収容ユーザ端末４の地理的位置の特定のためにアドレス情報管理ＤＢ７に送信する際、自身に付与された通信アドレス（＃ｊｋ）を付加する機能を具備する。
【００３３】
これに伴い、アドレス情報管理ＤＢ７は、端末収容アクセスサーバ２からクライアント端末５に通知される通信アドレスが、該当する直接収容ユーザ端末４の地理的位置の特定のため、クライアント端末５の通信アドレスと共に当該クライアント端末５からデータ通信網１を介して送信されたときに、当該通信アドレスをキーとして、該当するアドレス情報レコード内のアクセスサーバ番号、サーバ内収容位置番号及び回線種別情報を取得して、これらを、上記クライアント端末５の通信アドレスと共に、データ通信網１を介して通信網運用管理ＤＢ６に転送する機能を具備する。
【００３４】
なお、同アドレス情報管理ＤＢ７は、既にアドレス情報レコードとして登録されている通信アドレスに関して、該当する直接収容ユーザ端末４からの通信要求が再び発生した場合に、当該通信アドレスに関連付けられたアクセスサーバ番号及びサーバ内収容位置番号を、該当するアドレス情報レコードから削除する機能を具備する。
【００３５】
そして、通信網運用管理ＤＢ６は、アドレス情報管理ＤＢ７から転送された回線種別情報に基づいて所要のテーブル（直接収容者用地理的位置テーブル６ａ）を選択し、さらに、同アドレス情報管理ＤＢ７から転送されたアクセスサーバ番号及びサーバ内収容位置番号をキーとして、該当する位置情報レコード内の地理的位置情報を取得して、当該地理的位置情報をデータ通信網１を介してクライアント端末５に返送する（アドレス情報管理ＤＢ７から転送されたクライアント端末５の通信アドレスを情報返送の宛先とする）機能を具備する。
【００３６】
（第１方法例）
続いて、以上のように構成された第１装置例に係る端末位置特定システム装置αに適用される第１方法例について説明する。
【００３７】
図３は、第１方法例を説明するためのサブシステム間情報伝達図であり、（ａ）は、直接収容ユーザ端末４の通信開始時の情報伝達図、（ｂ）は、クライアント端末５による地理的位置検索時の情報伝達図である。
【００３８】
まず、同図（ａ）に示すように、この第１方法例においては、直接収容ユーザ端末４の通信開始に際し、データ通信網１上の端末収容アクセスサーバ２が、直接収容回線３を介し直接収容ユーザ端末４からの通信要求を検出して、当該直接収容ユーザ端末４に付与された通信アドレス（＃ｊ１）を取得することにより、その処理が開始される。
【００３９】
次に、端末収容アクセスサーバ２は、直接収容ユーザ端末４の通信アドレス（＃ｊ１）を取得すると、当該通信アドレス（＃ｊ１）を、データ通信網１を介してクライアント端末５に通知すると共に、アドレス情報管理ＤＢ７に対し、その直接収容ユーザ端末４の通信アドレス（＃ｊ１）と、自身に付与されたアクセスサーバ番号（＃ｋ１）と、収容位置２ａに付与されたサーバ内収容位置番号（＃ｉ１）と、直接収容ユーザ端末４の収容回線に関する回線種別情報（［直接収容］）とを通知する。
【００４０】
そして、アドレス情報管理ＤＢ７は、上記端末収容アクセスサーバ２から通知された通信アドレス（＃ｊ１）、アクセスサーバ番号（＃ｋ１）、サーバ内収容位置番号（＃ｉ１）及び回線種別情報（［直接収容］）を関連付けてアドレス情報レコードを生成し、これをアドレス情報管理テーブル７ａ上に登録する。
【００４１】
なお、上記アドレス情報管理ＤＢ７は、既にアドレス情報レコードとして登録されている通信アドレス（＃ｊ１）に関して、該当する直接収容ユーザ端末４からの通信要求が再び発生して、それと同一の通信アドレス（＃ｊ１）が再び通知された場合には、当該通信アドレスに関連付けられた以前のアクセスサーバ番号、サーバ内収容位置番号及び回線種別情報を、該当するアドレス情報レコードから削除した上で、新たに通知されたアクセスサーバ番号（＃ｋ１）、サーバ内収容位置番号（＃ｉ１）及び回線種別情報（［直接収容］）を、該当するアドレス情報レコード又は新たなアドレス情報レコードに登録しなおす。
【００４２】
以上のようにアドレス情報管理ＤＢ７が設定された状態において、上記直接収容ユーザ端末４の地理的位置を、データ通信網１に接続されたクライアント端末５から特定する場合には、同図（ｂ）に示すように、当該クライアント端末５が、まず、端末収容アクセスサーバ２から通知された直接収容ユーザ端末４の通信アドレス（＃ｊ１）を、自身に付与された通信アドレス（＃ｊｋ）と共に、データ通信網１を介してアドレス情報管理ＤＢ７に通知する。
【００４３】
次に、アドレス情報管理ＤＢ７は、上記クライアント端末５から通知された直接収容ユーザ端末４の通信アドレス（＃ｊ１）をキーとして、該当するアドレス情報レコード内のアクセスサーバ番号（＃ｋ１）、サーバ内収容位置番号（＃ｉ１）及び回線種別情報（［直接収容］）を取得し、これらを、上記クライアント端末５の通信アドレス（＃ｊｋ）と共に、データ通信網１を介して通信網運用管理ＤＢ６に転送する。
【００４４】
次に、通信網運用管理ＤＢ６は、上記アドレス情報管理ＤＢ７から転送された回線種別情報（［直接収容］）に基づいて直接収容者用地理的位置テーブル６ａを選択し、さらに、同アドレス情報管理ＤＢ７から転送されたアクセスサーバ番号（＃ｋ１）及びサーバ内収容位置番号（＃ｉ１）をキーとして、該当する位置情報レコード内の地理的位置情報（Ａ市Ｂ町Ｃ番地）を取得する。
【００４５】
そして、通信網運用管理ＤＢ６は、上記アドレス情報管理ＤＢ７から転送されたクライアント端末５の通信アドレス（＃ｊｋ）を情報返送の宛先として、取得した地理的位置情報（Ａ市Ｂ町Ｃ番地）をデータ通信網１を介してクライアント端末５に返送し、以上により、この第１方法例による所要の端末位置特定が達成される。
【００４６】
（第２装置例）
続いて、本発明の第２装置例に係る端末位置特定システム装置を説明する。
【００４７】
図４は、本発明の第２装置例に係る端末位置特定システム装置のシステム構成図であり、図５は、図４に示す通信網運用管理ＤＢ内に設定される直接収容者用地理的位置テーブルの構成図である（図中、既に第１装置例において示したものと同一又は同等の構成要素に対しては、それらと共通の符号を付してある）。
【００４８】
同図に示すように、この第２装置例に係る端末位置特定システム装置βは、データ通信網１上の電話網収容アクセスサーバ８に、着信回線９、電話網１０及び発信回線１１を介して収容された電話網収容ユーザ端末１２の地理的位置や、或いは、同電話網収容アクセスサーバ８に、着信回線９、電話網１０、基地局収容回線１３及び移動体基地局１４を介して収容された移動型無線ユーザ端末１５の概略的な地理的位置を、当該データ通信網１に接続された任意のクライアント端末５から特定するために、データ通信網１と電話網１０との共有領域に通信網運用管理ＤＢ６を設定すると共に、データ通信網１上の任意の領域にアドレス情報管理ＤＢ７を設定して構成される。
【００４９】
ここで、電話網収容ユーザ端末１２の地理的位置を特定するための構成を限定的に説明すれば（以下同じ）、通信網運用管理ＤＢ６は、電話網１０における電話網収容ユーザ端末１２の収容位置１０ａに付与された収容位置番号（＃ｉｔ２）（本発明にいう「端末収容位置番号」）、当該電話網収容ユーザ端末１２に付与された電話番号（＃ｔ２）（本発明にいう「端末電話番号」）、及び当該電話網収容ユーザ端末１２の地理的位置情報（Ｄ市Ｅ町Ｆ番地）を、存在する複数の電話網収容ユーザ端末ごとに関連付けてなる複数の位置情報レコードとして登録するためのものであり、これら複数の位置情報レコードを以って、当該通信網運用管理ＤＢ６内に、図示の電話網利用者用地理的位置テーブル６ｂが構成される。
【００５０】
なお、上記収容位置番号は、便宜上、１つの記号（＃ｉｔ２）で表現しているが、実際には、電話交換機（図示せず）の番号と、当該電話交換機における収容位置番号との組み合わせなど、複数の情報を包含するものである。
【００５１】
また、アドレス情報管理ＤＢ７は、電話網収容アクセスサーバ８において電話網収容ユーザ端末１２からの通信要求が検出されるごとに、当該電話網収容ユーザ端末１２に付与された通信アドレス（＃ｊ２）、電話網収容アクセスサーバ８に付与されたアクセスサーバ番号（＃ｋ２）、当該電話網収容アクセスサーバ８における電話網１０の収容位置８ａに付与されたサーバ内収容位置番号（＃ｉ２）、及び電話網収容ユーザ端末１２の収容回線に関する回線種別情報（［電話網］）を、存在する前記複数のユーザ端末ごとに関連付けてなる複数のアドレス情報レコードとして登録するためのものであり、これら複数のアドレス情報レコードを以って、当該アドレス情報管理ＤＢ７内に、図２（ｂ）に示すアドレス情報管理テーブル７ａが構成される。
【００５２】
なお、電話網収容アクセスサーバ８は、電話網収容ユーザ端末１２から通信要求が検出されるごとに、当該電話網収容ユーザ端末１２に付与された通信アドレスを、データ通信網１を介してクライアント端末５に通知する機能を具備し、クライアント端末５は、電話網収容ユーザ端末１２に付与された通信アドレスを、該当する電話網収容ユーザ端末１２の地理的位置の特定のためにアドレス情報管理ＤＢ７に送信する際、自身に付与された通信アドレス（＃ｊｋ）を付加する機能を具備する。
【００５３】
これに伴い、アドレス情報管理ＤＢ７は、電話網収容アクセスサーバ８からクライアント端末５に通知される通信アドレスが、該当する電話網収容ユーザ端末１２の地理的位置の特定のため、クライアント端末５の通信アドレスと共に当該クライアント端末５からデータ通信網１を介して送信されたときに、当該通信アドレスをキーとして、該当するアドレス情報レコード内のアクセスサーバ番号、サーバ内収容位置番号及び回線種別情報を取得して、これらを、上記クライアント端末５の通信アドレスと共に、データ通信網１を介して通信網運用管理ＤＢ６に転送する機能を具備する。
【００５４】
なお、同アドレス情報管理ＤＢ７は、既にアドレス情報レコードとして登録されている通信アドレスに関して、該当する電話網収容ユーザ端末１２からの通信要求が再び発生した場合に、当該通信アドレスに関連付けられたアクセスサーバ番号及びサーバ内収容位置番号を、該当するアドレス情報レコードから削除する機能を具備する。
【００５５】
そして、通信網運用管理ＤＢ６は、アドレス情報管理ＤＢ７から転送された回線種別情報に基づいて所要のテーブル（電話網利用者用地理的位置テーブル６ｂ）を選択し、さらに、同アドレス情報管理ＤＢ７から転送されたアクセスサーバ番号及びサーバ内収容位置番号に基づき、電話網１０から、その接続ルートトレース機能を用いて収容位置番号及び／又は電話番号を取得すると共に、当該収容位置番号及び／又は電話番号をキーとして、該当する位置情報レコード内の地理的位置情報を取得して、当該地理的位置情報をデータ通信網１を介してクライアント端末５に返送する（アドレス情報管理ＤＢ７から転送されたクライアント端末５の通信アドレスを情報返送の宛先とする）機能を具備する。
【００５６】
なお、移動型無線ユーザ端末１５の概略的な地理的位置を特定するための構成を得るには、通信網運用管理ＤＢ６内の電話網利用者用地理的位置テーブル６ｂに、電話網１０における移動体基地局１４の収容位置１０ｂに付与された収容位置番号（＃ｉｔ３）（本発明にいう「基地局収容位置番号」）、当該移動体基地局１４に付与された電話番号（例えば、＃ｔ３）（本発明にいう「基地局電話番号」）、及び当該移動体基地局１４の地理的位置情報を、存在する複数の移動型無線ユーザ端末（例えば、通信アドレス：＃ｊ３）ごとに関連付けてなる複数の位置情報レコードとして登録すればよい（接続ルートトレース機能に関しては、電話網収容ユーザ端末１２の地理的位置を特定する場合と同等）。
【００５７】
（第２方法例）
続いて、以上のように構成された第２装置例に係る端末位置特定システム装置βに適用される第２方法例について説明する。
【００５８】
図６は、第２方法例を説明するためのサブシステム間情報伝達図であり、（ａ）は、電話網収容ユーザ端末１２の通信開始時の情報伝達図、（ｂ）は、クライアント端末５による地理的位置検索時の情報伝達図である。
【００５９】
まず、同図（ａ）に示すように、この第２方法例においては、電話網収容ユーザ端末１２の通信開始に際し、データ通信網１上の電話網収容アクセスサーバ８が、発信回線１１電話網１０、着信回線９及びを順に介し電話網収容ユーザ端末１２からの通信要求を検出して、当該電話網収容ユーザ端末１２に付与された通信アドレス（＃ｊ２）を取得することにより、その処理が開始される。
【００６０】
次に、電話網収容アクセスサーバ８は、電話網収容ユーザ端末１２の通信アドレス（＃ｊ２）を取得すると、当該通信アドレス（＃ｊ２）を、データ通信網１を介してクライアント端末５に通知すると共に、アドレス情報管理ＤＢ７に対し、その電話網収容ユーザ端末１２の通信アドレス（＃ｊ２）と、自身に付与されたアクセスサーバ番号（＃ｋ２）と、収容位置８ａに付与されたサーバ内収容位置番号（＃ｉ２）と、電話網収容ユーザ端末１２の収容回線に関する回線種別情報（［電話網］）とを通知する。
【００６１】
そして、アドレス情報管理ＤＢ７は、上記電話網収容アクセスサーバ１２から通知された通信アドレス（＃ｊ２）、アクセスサーバ番号（＃ｋ２）、サーバ内収容位置番号（＃ｉ２）及び回線種別情報（［電話網］）を関連付けてアドレス情報レコードを生成し、これをアドレス情報管理テーブル７ａ上に登録する。
【００６２】
なお、上記アドレス情報管理ＤＢ７は、既にアドレス情報レコードとして登録されている通信アドレス（＃ｊ２）に関して、該当する電話網収容ユーザ端末１２からの通信要求が再び発生して、それと同一の通信アドレス（＃ｊ２）が再び通知された場合には、当該通信アドレスに関連付けられた以前のアクセスサーバ番号、サーバ内収容位置番号及び回線種別情報を、該当するアドレス情報レコードから削除した上で、新たに通知されたアクセスサーバ番号（＃ｋ２）、サーバ内収容位置番号（＃ｉ２）及び回線種別情報（［電話網］）を、該当するアドレス情報レコード又は新たなアドレス情報レコードに登録しなおす。
【００６３】
以上のようにアドレス情報管理ＤＢ７が設定された状態において、上記電話網収容ユーザ端末１２の地理的位置を、データ通信網１に接続されたクライアント端末５から特定する場合には、同図（ｂ）に示すように、当該クライアント端末５が、まず、電話網収容アクセスサーバ８から通知された電話網収容ユーザ端末１２の通信アドレス（＃ｊ２）を、自身に付与された通信アドレス（＃ｊｋ）と共に、データ通信網１を介してアドレス情報管理ＤＢ７に通知する。
【００６４】
次に、アドレス情報管理ＤＢ７は、上記クライアント端末５から通知された電話網収容ユーザ端末１２の通信アドレス（＃ｊ２）をキーとして、該当するアドレス情報レコード内のアクセスサーバ番号（＃ｋ２）、サーバ内収容位置番号（＃ｉ２）及び回線種別情報（［電話網］）を取得し、これらを、上記クライアント端末５の通信アドレス（＃ｊｋ）と共に、データ通信網１を介して通信網運用管理ＤＢ６に転送する。
【００６５】
次に、通信網運用管理ＤＢ６は、上記アドレス情報管理ＤＢ７から転送された回線種別情報（［電話網］）に基づいて電話網利用者用地理的位置テーブル６ｂを選択し、さらに、同アドレス情報管理ＤＢ７から転送されたアクセスサーバ番号（＃ｋ２）及びサーバ内収容位置番号（＃ｉ２）に基づき、電話網１０から、その接続ルートトレース機能を用いて収容位置番号（＃ｉｔ２）及び／又は電話番号（＃ｔ２）を取得すると共に、当該収容位置番号及び／又は電話番号をキーとして、該当する位置情報レコード内の地理的位置情報（Ｄ市Ｅ町Ｆ番地）を取得する。
【００６６】
そして、通信網運用管理ＤＢ６は、上記アドレス情報管理ＤＢ７から転送されたクライアント端末５の通信アドレス（＃ｊｋ）を情報返送の宛先として、取得した地理的位置情報（Ｄ市Ｅ町Ｆ番地）をデータ通信網１を介してクライアント端末５に返送し、以上により、この第２方法例による所要の端末位置特定が達成される。
【００６７】
以上、電話網収容ユーザ１２の地理的位置を特定する事例を説明したが、移動体基地局１４に接続された移動型無線ユーザ端末１５の概略的な地理的位置を特定する場合には、上記収容位置番号（＃ｉｔ２）及び／又は電話番号（＃ｔ２）に代えて、電話網１０における移動体基地局１４の収容位置１０ｂに付与された収容位置番号（＃ｉｔ３）、及び／又は当該移動体基地局１４に付与された電話番号（＃ｔ３）を適用すればよく、その地理的位置の基本的な特定手法は、上記電話網収容ユーザ１２における場合と同様である。
【００６８】
【実施例】
最後に、実施例として、本発明をインターネット上の広告配付者に利用させる場合の適用例について説明する。
【００６９】
図７は、本発明をインターネット上の広告配付者に利用させる場合のシステム適用例を示す図である（図中、既に第１及び第２装置例において示したものと同一又は同等の構成要素に対しては、それらと共通の符号を付してある）。
【００７０】
同図に示すように、このシステム適用例は、データ通信網（１）としてのＩＰネットワーク（ＩＰ：Internet Protocol ）１ａに、任意のクライアント端末（５）として接続された広告配付者端末５ａから、直接収容ユーザ端末１及び電話網収容ユーザ端末１２の地理的位置を特定するための構成を示している。
【００７１】
なお、本図では、電話網収容ユーザ端末１２を収容する電話網（１０）を、電話交換機１６（収容位置１６ａ）として描いている。また、このシステム適用例では、本発明の主要な構成要素をなす通信網運用管理ＤＢ６及びアドレス情報管理ＤＢ７を、図示の端末位置提供業者１７の保有物として設定してある。
【００７２】
即ち、広告配付者（図示せず）が、端末位置情報提供者１７に対し、広告配付者端末５ａからＩＰネットワーク１ａを介して直接収容ユーザ端末４や電話網収容ユーザ端末１２など種々のユーザ端末の地理的位置を要求すると（（１）端末位置要求）、端末位置情報提供者１７のアドレス情報管理ＤＢ７は、まず、ＩＰネットワーク１ａ上の端末収容アクセスサーバ２及び電話網収容アクセスサーバ８を検索し（（２）アクセスサーバ検索）、現在、ＩＰネットワーク１ａに接続されているユーザ端末のＩＰアドレス（通信アドレス）から、当該ユーザ端末の収容位置情報を取得する。
【００７３】
なお、以上のアクセスサーバ検索が、電話網収容アクセスサーバ８に対して行われる場合には、電話交換機１６における収容位置トレース機能（電話網（１０）における「接続ルートトレース機能」と等価）を用いて、所要の収容位置情報を取得する（（３）収容位置要求）。
【００７４】
そして、端末位置情報提供者１７の通信網運用管理ＤＢ７は、取得した収容位置情報に基づいてユーザ端末の地理的位置を検索し（（４）地理的位置検索）、その検索結果をＩＰネットワークを介して広告配付者端末５ａに返送し、以上により、広告配付業者は、返送された地理的位置情報に基づき、直接収容ユーザ端末４や電話網収容ユーザ端末１２など種々のユーザ端末に対して広告を配付することが可能となる（（５）広告配付）。
【００７５】
なお、以上のようなシステム適用例を採用した場合、端末位置情報提供者１７は、情報提供収入を得ることができ、また、広告配付者は、利用者の地理的条件を絞った効率的な広告活動が可能となるため、店舗来店者（図示せず）が増加するなどして、商品の売上向上を大いに期待することができる。
【００７６】
以上、本発明の実施の形態及び実施例につき説明したが、本発明は、必ずしも上述した手段及び手法にのみ限定されるものではなく、本発明にいう目的を達成し、後述の効果を有する範囲内において、適宜変更実施することが可能なものである。
【００７７】
【発明の効果】
以上、詳細に説明したように、本発明によれば、データ通信網に直接収容されたユーザ端末や電話網を経由して収容されたユーザ端末、或いは電話網及び移動体基地局を経由して収容されたユーザ端末の地理的位置を詳細に特定することが可能となる。
【００７８】
また、以上に伴い、本発明によれば、例えば、情報提供事業者が、ある地域における多くのユーザ端末の存在を知ることができるため、地域に密着した情報の提供が可能になる。
【００７９】
さらに、本発明によれば、悪意のある情報を発信するユーザ端末の位置を特定することができるため、これを犯罪の捜査や抑止に役立てることなどが可能となり、加えて、緊急性の高いメッセージの発信元を知って、事故の防止に役立てることなども可能となる。
【００８０】
なお、現在のインターネットでは端末間の距離に応じた課金は行われていないが、本発明の適用によりそれが可能となるため、将来のインターネットにおける課金方式の選択肢を広げることになる。
【図面の簡単な説明】
【図１】本発明の第１装置例に係る端末位置特定システム装置のシステム構成図である。
【図２】（ａ）は、図１に示す通信網運用管理ＤＢ内に設定される直接収容者用地理的位置テーブルの構成図であり、（ｂ）は、図１に示すアドレス情報管理ＤＢ内に設定されるアドレス情報管理テーブルの構成図である。
【図３】第１方法例を説明するためのサブシステム間情報伝達図であり、（ａ）は、直接収容ユーザ端末の通信開始時の情報伝達図、（ｂ）は、クライアント端末による地理的位置検索時の情報伝達図である。
【図４】本発明の第２装置例に係る端末位置特定システム装置のシステム構成図である。
【図５】図４に示す通信網運用管理ＤＢ内に設定される直接収容者用地理的位置テーブルの構成図である。
【図６】第２方法例を説明するためのサブシステム間情報伝達図であり、（ａ）は、電話網収容ユーザ端末の通信開始時の情報伝達図、（ｂ）は、クライアント端末による地理的位置検索時の情報伝達図である。
【図７】本発明をインターネット上の広告配付者に利用させる場合のシステム適用例を示す図である
【符号の説明】
α，β…端末位置特定システム装置
１…データ通信網
１ａ…ＩＰネットワーク
２…端末収容アクセスサーバ
２ａ…収容位置
３…直接収容回線
４…直接収容ユーザ端末
５…クライアント端末
５ａ…広告配付者端末
６…通信網運用管理ＤＢ（データベース）
６ａ…直接収容者用地理的位置テーブル
６ｂ…電話網利用者用地理的位置テーブル
７…アドレス情報管理ＤＢ（データベース）
７ａ…アドレス情報管理テーブル
８…電話網収容アクセスサーバ
８ａ…収容位置
９…着信回線
１０…電話網
１０ａ，１０ｂ…収容位置
１１…発信回線
１２…電話網収容ユーザ端末
１３…基地局収容回線
１４…移動体基地局
１５…移動型無線ユーザ端末
１６…電話交換機
１６ａ…収容位置
１７…端末位置情報提供者
【図１】
0003811627.tif 000002
【図２】
0003811627.tif 000003
【図３】
0003811627.tif 000004
【図４】
0003811627.tif 000005
【図５】
0003811627.tif 000006
【図６】
0003811627.tif 000007
【図７】
0003811627.tif 000008